【手続補正書】
【提出日】平成26年2月18日(2014.2.18)
【手続補正１】
【補正対象書類名】明細書
【補正対象項目名】発明の名称
【補正方法】変更
【補正の内容】
【発明の名称】データ処理装置、その制御方法およびプログラム、並びに記憶媒体
【手続補正２】
【補正対象書類名】明細書
【補正対象項目名】０００１
【補正方法】変更
【補正の内容】
【０００１】
本発明は、データ処理装置、その制御方法およびプログラム、並びに記憶媒体に関し、特に、データ処理装置における電源制御に関する。
【手続補正３】
【補正対象書類名】明細書
【補正対象項目名】０００９
【補正方法】変更
【補正の内容】
【０００９】
従って、本発明の目的は、スリープモード下において、電源スイッチがオフされた際、ユーザが選択・設定した状態に遷移させることができるデータ処理装置、その制御方法およびプログラム、並びに記憶媒体を提供することにある。
【手続補正４】
【補正対象書類名】明細書
【補正対象項目名】００１０
【補正方法】変更
【補正の内容】
【００１０】
上記の目的を達成するため、本発明に係るデータ処理装置は、データを処理する処理部を有し、前記処理部が動作する第１の電力モードと、前記処理部が動作せず前記第１の電力モードより消費電力が少ない第２のモードと、前記処理部が動作せず前記第２の電力モードより消費電力が少ない第３の電力モードと、前記処理部が動作せず前記第３の電力モードより消費電力が少ない第４の電力モードとを有するデータ処理装置であって、前記データ処理装置を前記第３の電力モード又は前記第４の電力モードに移行させるための移行指示をユーザから受け付ける受付手段と、前記データ処理装置が前記第２の電力モードの場合、前記受付手段が前記移行指示を受けたことに応じて、前記データ処理装置を前記第１の電力モードに移行させる第１の移行手段と、前記第１の移行手段が前記データ処理装置を前記第１の電力モードに移行させたことに応じて、前記データ処理装置を前記第３の電力モード及び前記第４の電力モードのうち何れの電力モードに移行させるかを決定する決定手段と、前記データ処理装置を前記決定手段により決定された電力モードに移行させる第２の移行手段と、を備えることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
データを処理する処理部を有し、前記処理部が動作する第１の電力モードと、前記処理部が動作せず前記第１の電力モードより消費電力が少ない第２のモードと、前記処理部が動作せず前記第２の電力モードより消費電力が少ない第３の電力モードと、前記処理部が動作せず前記第３の電力モードより消費電力が少ない第４の電力モードとを有するデータ処理装置であって、
前記データ処理装置を前記第３の電力モード又は前記第４の電力モードに移行させるための移行指示をユーザから受け付ける受付手段と、
前記データ処理装置が前記第２の電力モードの場合、前記受付手段が前記移行指示を受けたことに応じて、前記データ処理装置を前記第１の電力モードに移行させる第１の移行手段と、
前記第１の移行手段が前記データ処理装置を前記第１の電力モードに移行させたことに応じて、前記データ処理装置を前記第３の電力モード及び前記第４の電力モードのうち何れの電力モードに移行させるかを決定する決定手段と、
前記データ処理装置を前記決定手段により決定された電力モードに移行させる第２の移行手段と、
を備えることを特徴とするデータ処理装置。  
【請求項２】
前記第２の移行手段は、前記データ処理装置を前記第３の電力モードに移行させる際に、リブート処理を実行することを特徴とする請求項１記載のデータ処理装置。
【請求項３】
前記第３の電力モードは、前記データ処理装置が高速起動可能な状態で待機するモードであることを特徴とする請求項１又は２記載のデータ処理装置。
【請求項４】
前記第４の電力モードは、前記データ処理装置が電源オフになるモードであることを特徴とする請求項１乃至３のいずれか１項に記載のデータ処理装置。
【請求項５】
データを処理する処理部を有し、前記処理部が動作する第１の電力モードと、前記処理部が動作せず前記第１の電力モードより消費電力が少ない第２のモードと、前記処理部が動作せず前記第２の電力モードより消費電力が少ない第３の電力モードと、前記処理部が動作せず前記第３の電力モードより消費電力が少ない第４の電力モードとを有するデータ処理装置の制御方法であって、
前記データ処理装置を前記第３の電力モード又は前記第４の電力モードに移行させるための移行指示をユーザから受け付ける受付ステップと、
前記データ処理装置が前記第２の電力モードの場合、前記受付ステップにおいて前記移行指示を受けたことに応じて、前記データ処理装置を前記第１の電力モードに移行させる第１の移行ステップと、
前記第１の移行ステップにおいて前記データ処理装置が前記第１の電力モードに移行されたことに応じて、前記データ処理装置を前記第３の電力モード及び前記第４の電力モードのうち何れの電力モードに移行させるかを決定する決定ステップと、
前記データ処理装置を前記決定ステップにおいて決定された電力モードに移行させる第２の移行ステップと、
を有することを特徴とするデータ処理装置の制御方法。
【請求項６】
データを処理する処理部を有し、前記処理部が動作する第１の電力モードと、前記処理部が動作せず前記第１の電力モードより消費電力が少ない第２のモードと、前記処理部が動作せず前記第２の電力モードより消費電力が少ない第３の電力モードと、前記処理部が動作せず前記第３の電力モードより消費電力が少ない第４の電力モードとを有するデータ処理装置の制御方法をコンピュータに実行させるプログラムであって、
前記データ処理装置の制御方法は、
前記データ処理装置を前記第３の電力モード又は前記第４の電力モードに移行させるための移行指示をユーザから受け付ける受付ステップと、
前記データ処理装置が前記第２の電力モードの場合、前記受付ステップにおいて前記移行指示を受けたことに応じて、前記データ処理装置を前記第１の電力モードに移行させる第１の移行ステップと、
前記第１の移行ステップにおいて前記データ処理装置が前記第１の電力モードに移行されたことに応じて、前記データ処理装置を前記第３の電力モード及び前記第４の電力モードのうち何れの電力モードに移行させるかを決定する決定ステップと、
前記データ処理装置を前記決定ステップにおいて決定された電力モードに移行させる第２の移行ステップと、
を有することを特徴とするプログラム。
【請求項７】
請求項６記載のプログラムを格納することを特徴とするコンピュータで読み取り可能な記憶媒体。
【請求項８】
処理部を有し、前記処理部に電力が供給される第１の電力モードと、前記処理部に電力が供給されず、消費電力が前記第１の電力モードにおける消費電力よりも小さい第２の電力モードと、前記処理部に電力が供給されず、消費電力が前記第２の電力モードにおける消費電力よりも小さい第３の電力モードとを有するデータ処理装置であって、
前記データ処理装置の電源をオフにするという指示を受け付けた場合に、前記データ処理装置が前記第３の電力モードに移行することを設定する設定手段と、
前記データ処理装置が前記第２の電力モードである時に前記指示を受け付けたことに応じて、前記データ処理装置を前記第１の電力モードに移行させる移行手段と、を備え、
前記移行手段が前記データ処理装置を前記第１の電力モードに移行させたことに応じて、前記処理部は、前記設定手段によって前記設定がなされている場合は、前記データ処理装置が前記第３の電力モードに移行するように制御し、前記設定手段によって前記設定がなされていない場合は、前記データ処理装置の電源がオフになるように制御することを特徴とするデータ処理装置。
【請求項９】
前記データ処理装置が前記第３の電力モードに移行した場合において、前記処理部は前記データ処理装置に対してリブート処理を実行することを特徴とする請求項８記載のデータ処理装置。
【請求項１０】
前記第３の電力モードは、前記データ処理装置が高速起動可能な状態で待機するモードであることを特徴とする請求項８又は９記載のデータ処理装置。
【請求項１１】
前記データ処理装置の電源スイッチがオフに切り換えられることによって、前記指示が受け付けられることを特徴とする請求項８乃至１０のいずれか１項に記載のデータ処理装置。
【請求項１２】
処理部を有し、前記処理部に電力が供給される第１の電力モードと、前記処理部に電力が供給されず、消費電力が前記第１の電力モードにおける消費電力よりも小さい第２の電力モードと、前記処理部に電力が供給されず、消費電力が前記第２の電力モードにおける消費電力よりも小さい第３の電力モードとを有するデータ処理装置の制御方法であって、
前記データ処理装置の電源をオフにするという指示を受け付けた場合に、前記データ処理装置が前記第３の電力モードに移行することを設定する設定ステップと、
前記データ処理装置が前記第２の電力モードである時に前記指示を受け付けたことに応じて、前記データ処理装置を前記第１の電力モードに移行させる移行ステップと、を有し、
前記移ステップ段が前記データ処理装置を前記第１の電力モードに移行させたことに応じて、前記処理部は、前記設定ステップによって前記設定がなされている場合は、前記データ処理装置が前記第３の電力モードに移行するように制御し、前記設定ステップによって前記設定がなされていない場合は、前記データ処理装置の電源がオフになるように制御することを特徴とするデータ処理装置の制御方法。
【請求項１３】
処理部を有し、前記処理部に電力が供給される第１の電力モードと、前記処理部に電力が供給されず、消費電力が前記第１の電力モードにおける消費電力よりも小さい第２の電力モードと、前記処理部に電力が供給されず、消費電力が前記第２の電力モードにおける消費電力よりも小さい第３の電力モードとを有するデータ処理装置の制御方法をコンピュータに実行させるプログラムであって、
前記データ処理装置の制御方法は、
前記データ処理装置の電源をオフにするという指示を受け付けた場合に、前記データ処理装置が前記第３の電力モードに移行することを設定する設定ステップと、
前記データ処理装置が前記第２の電力モードである時に前記指示を受け付けたことに応じて、前記データ処理装置を前記第１の電力モードに移行させる移行ステップと、を有し、
前記移ステップ段が前記データ処理装置を前記第１の電力モードに移行させたことに応じて、前記処理部は、前記設定ステップによって前記設定がなされている場合は、前記データ処理装置が前記第３の電力モードに移行するように制御し、前記設定ステップによって前記設定がなされていない場合は、前記データ処理装置の電源がオフになるように制御することを特徴とするプログラム。
【請求項１４】
請求項１３記載のプログラムを格納することを特徴とするコンピュータで読み取り可能な記憶媒体。
【手続補正８】
【補正対象書類名】図面
【補正対象項目名】図３
【補正方法】変更
【補正の内容】
【図３】
2012155533.tif 000001